(57)【要約】【課題】  感染症が流行している場合には、間隔をあけ、距離を保つレイアウトができ、感染症の流行が収まった時には無駄のないレイアウトができ、待合室やロビーの広さに最適なレイアウトが可能な複数人着席用の組み合わせ椅子セットの提案。【解決手段】  背もたれ１、座部４、及び左右両側に肘掛け２、３を有する両肘掛け椅子１００の１台と、該両肘掛け椅子１００の右側方向への配列用であって、背もたれ１、座部４、及び右側のみに肘掛けを有する右肘掛け椅子２００の少なくとも１台と、前記両肘掛け椅子の左側方向への配列用であって、背もたれ、座部、及び左側のみに肘掛けを有する左肘掛け椅子３００の少なくとも１台とから構成される組み合わせ椅子セット。【選択図】図１
0003232100.tif 000002
【実用新案登録請求の範囲】
【請求項１】
背もたれ、座部、及び左右両側に肘掛けを有する両肘掛け椅子の１台と、該両肘掛け椅子の右側方向への配列用であって、背もたれ、座部、及び右側のみに肘掛けを有する右肘掛け椅子の少なくとも１台と、前記両肘掛け椅子の左側方向への配列用であって、背もたれ、座部、及び左側のみに肘掛けを有する左肘掛け椅子の少なくとも１台とから構成される組み合わせ椅子セット。
【請求項２】
背もたれ、座部、及び左右両側に肘掛けを有する両肘掛け椅子の１台と、該両肘掛け椅子の右側方向への配列用であって、背もたれ、座部、及び右側のみに肘掛けを有する右肘掛け椅子、又は前記両肘掛け椅子の左側方向への配列用であって、背もたれ、座部、及び左側のみに肘掛けを有する左肘掛け椅子のいずれか一方の椅子の少なくとも１台とから構成される組み合わせ椅子セット。
【考案の詳細な説明】
【技術分野】
【０００１】
本考案は、病院待合室、各種ホールのロビー、集会場などで使用し、複数人が着席することのできる組み合わせ椅子セットに関する。
【背景技術】
【０００２】
昨今の新型コロナウィルスによる感染症の流行に対する感染防止対策として、病院、各種ホール、集会所などの利用者が密接するのを防ぐために、これらの施設の待合室、ロビーなどに設置される複数人が着席できる椅子において、密接して着席することを避け、間隔をあけて着席し、距離を保ちフィジカルディスタンスを確保するために、座部表面に着席禁止場所を指定するための注意書きや×印などのマークを表示したり、置物を置いたりして部分的に着席を禁止して、密接を避けて着席することを促す措置が取られていることが多い。このような措置は、感染防止のためにはやむを得ない措置ではあるが、椅子の使用方法としては無駄の多い措置である。
【０００３】
本考案者は、病院の待合室などにおける感染症対策に対応し、感染症の流行時には密接を避け、フィジカルディスタンスを確保しつつ、無駄なく椅子を使用して着席できると共に、感染症の流行が収まった時には待合室の空間を有効に利用できるレイアウトで使用できる組み合わせ椅子セットの検討を行い、新規な組み合わせ椅子セットを考案し、提供するものである。
【０００４】
特許文献１には、違った機能を持った２体の椅子を合体して別の椅子を構成する椅子として、片肘掛けを有する分離座椅子と肘掛けなしの座椅子とを組み合わせた椅子が提案されているが、この組み合わせ椅子は椅子の生活と床の生活を調和させるものであり、ロビーなどで、着席者が密接することを防ぐものではない。
【先行技術文献】
【特許文献】
【０００５】
【特許文献１】実開昭５９―１０３６７９号公報（実用全文）
【考案の概要】
【考案が解決しようとする課題】
【０００６】
本考案の課題は、感染症が流行している場合には、間隔をあけ、距離を保つレイアウトができ、感染症の流行が収まった時には間隔なく空間を有効に使用するレイアウトとし、待合室やロビーの広さに最適なレイアウトが可能な複数人着席用の組み合わせ椅子セットを提案することである。
【課題を解決するための手段】
【０００７】
本考案の組み合わせ椅子セットは、背もたれ、座部、及び左右両側に肘掛けを有する両肘掛け椅子の１台と、該両肘掛け椅子の右側方向への配列用であって、背もたれ、座部、及び右側のみに肘掛けを有する右肘掛け椅子の少なくとも１台と、前記両肘掛け椅子の左側方向への配列用であって、背もたれ、座部、及び左側のみに肘掛けを有する左肘掛け椅子の少なくとも１台とから構成される。
【０００８】
また、背もたれ、座部、及び左右両側に肘掛けを有する両肘掛け椅子の１台と、該両肘掛け椅子の右側方向への配列用であって、背もたれ、座部、及び右側のみに肘掛けを有する右肘掛け椅子、又は前記両肘掛け椅子の左側方向への配列用であって、背もたれ、座部、及び左側のみに肘掛けを有する左肘掛け椅子のいずれか一方の椅子の少なくとも１台とから構成される組み合わせ椅子セットであってもよい。
【０００９】
これらの組み合わせ椅子セットは、両肘掛け椅子に右又は左肘掛け椅子をくっ付けたり離したりして配列することができ、感染症の流行時には、椅子セットを構成する各椅子の間隔をあけ、距離を保つ配列を行い、着席者が密接せずに、フィジカルディスタンスを確保するレイアウトとすることができる。そして、感染症の流行が収まった場合には、各椅子をくっ付けて配列することにより、各着席者の座席が肘掛けで分離された多人数掛けのロビーチェアとすることができる組み合わせ椅子セットである。
【００１０】
これらの組み合わせ椅子セットは、両肘掛け椅子の１台と、該両肘掛け椅子の左右の両側に、右又は左肘掛け椅子のそれぞれの少なくとも１台、或いは前記両肘掛け椅子の右又は左側に、右又は左肘掛け椅子のいずれか一方の少なくとも１台から構成されているために、待合室又はロビーの広さに応じて、右又は左肘掛け椅子の適宜の台数の椅子をセットとすることで、最適なレイアウトとすることができる。
【考案の効果】
【００１１】
上記したように、本考案の椅子セットは、感染症が流行している場合には、セットを構成する各椅子の間隔をあけ、距離を保つ配列を行い、フィジカルディスタンスを確保するレイアウトができ、感染症の流行が収まった時には、各椅子をくっ付けて配列を行い、無駄のないレイアウトができ、待合室やロビーの広さに最適なレイアウトが可能な複数人着席用の椅子セットとなるものである。
【図面の簡単な説明】
【００１２】
【図１】組み合わせ椅子セットの両肘掛け椅子、右肘掛け椅子、及び左肘掛け椅子の各１台を離して配列した実施例。
【図２】図１に示した組み合わせ椅子セットの各椅子をくっ付けて配列した実施例。
【図３】組み合わせ椅子セットの両肘掛け椅子と右肘掛け椅子３台を離して配列した実施例。
【図４】図３に示した組み合わせ椅子セットの各椅子をくっ付けて配列した実施例。
【考案を実施するための形態】
【００１３】
図１及び２は本考案の組み合わせ椅子セットの配列した実施例を示す斜視外観図であり、背もたれ１、座部４、右側に右肘掛け２、及び左側に左肘掛け３を有する両肘掛け椅子１００と、背もたれ１、座部４、及び右側のみに右肘掛け２を有する椅子２００と、背もたれ１、座部４、及び左側のみに左肘掛け３を有する左肘掛け椅子３００とから構成され、両肘掛け椅子１００の右側に右肘掛け椅子２００が配列され、両肘掛け椅子１００の左側に左肘掛け椅子３００が配列され、図１では各椅子をそれぞれ離して配列し、図２ではそれぞれの椅子をくっ付けて配列している。
【００１４】
図１は、感染症の流行に対応して、セットを構成する各椅子の間隔をあけて距離を保つ配列を行い、フィジカルディスタンスを確保するレイアウトであり、図２は、感染症の流行が収束し、セットを構成する各椅子をくっ付けて配列して３人掛けのロビーチェアとしたものである。図１及び２では、１台の両肘掛け椅子１００に対して、右肘掛け椅子２００と左肘掛け椅子３００をそれぞれ１台ずつの構成としたが、２台以上の構成としてもよく、左右それぞれの肘掛け椅子の台数は同じである必要はなく、それぞれが少なくとも１台であればよく、組み合わせ椅子セットを配置する待合室やロビーの広さに応じて、適宜台数を選択してレイアウトすることができる。
【００１５】
図３及び４は別の組み合わせの実施例を示す斜視外観図であり、１台の両肘掛け椅子１００と、３台の右側のみに右肘掛け２を有する右肘掛け椅子２００とから構成される組み合わせ椅子セットを示す。図３は、両肘掛け椅子１００の右側方向に３台の右肘掛け椅子２００を、それぞれの椅子の間隔をあけて距離を保つ配列を行い、フィジカルディスタンスを確保するレイアウトであり、図４は、感染症の流行が収束し、セットを構成する各椅子をくっ付けて配列して４人掛けのロビーチェアとしたものである。
【００１６】
図３及び４に示した実施例では、３台の右肘掛け椅子２００を１台の両肘掛け椅子１００と組み合わせたが、右肘掛け椅子２００に代えて、前記した左肘掛け椅子３００を組み合わせてもよく、この場合は両肘掛け椅子１００の左側方向に配列することになる。また台数も前記の実施例と同様に、配置する待合室やロビーの広さに応じて、適宜台数を選択することができる。
【００１７】
図４に示されるように、両肘掛け椅子１００と右肘掛け椅子２００をくっ付けて配列したロビーチェアでは、いずれの位置に両肘掛け椅子１００が配列されているのかは、一見したのでは判別できず、また、左肘掛け椅子３００を左側方向に配列したロビーチェアでも同様な外観となる。さらには、図２に示した実施例において、右肘掛け椅子２００を２台、左肘掛け椅子３００を１台とし、それぞれ右側方向と左側方向に配列した場合も同様（右肘掛け椅子２００と左肘掛け椅子３００を入れ替えた場合も同様）である。そのために、感染症対策だけでなく、本考案の組み合わせ椅子セットは、配置する待合室やロビーの広さに応じて、着席人数が調整可能な他人数掛けのロビーチェアとして利用することもできる。
【００１８】
図に示した組み合わせ椅子セットを構成する椅子は、いずれも脚５を有する椅子であるが、脚に代えて座部４を支える座部支持台で構成してもよい。また、図に示した椅子の左右の肘掛け２、３は側板状の例を示し、それらの頂上面には肘掛け頂部２１、３１が設けられているが、左右の肘掛け２、３はこれらの例に限定されず、肘掛け頂部２１、３１を支柱で支えるタイプであってもよい。その他、背もたれ、座部、肘掛けの形状は、これらを有し一般に広く用いられている椅子の形状を本考案の構成要素として応用することができる。
【符号の説明】
【００１９】
１    背もたれ
２    右肘掛け
３    左肘掛け
２１、３１  肘掛け頂部
４    座部
５    脚
１００    両肘掛け椅子
２００    右肘掛け椅子
３００    左肘掛け椅子
【図１】
0003232100.tif 000003
【図２】
0003232100.tif 000004
【図３】
0003232100.tif 000005
【図４】
0003232100.tif 000006